【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
少なくとも１つの着座面（２４）を有する工具本体（２２）と、少なくとも１つの切削インサート（２６、１２６）と、前記少なくとも１つの切削インサート（２６、１２６）を前記少なくとも１つの着座面（２４）に取外し可能に固定するための少なくとも１つの締結部材（２８）とを備えた切削工具（２０、１２０）であって、
前記少なくとも１つの切削インサート（２６、１２６）が、外周側面（３６）および中心軸（Ａ１）が間に延びる対向する上面（３２）および底面（３４）と、前記上面（３２）にクランプ穴（３８）とを備え、
前記外周側面（３６）が少なくとも１つのフランク面（４０）を備え、少なくとも１つの切刃（４２）が、前記少なくとも１つのフランク面（４０）と少なくとも前記上面（３２）との交差部に形成され、
前記クランプ穴（３８）が、第１の水平面（ＰＨ１）に交差する少なくとも２つの上部クランプ部（ＵＣ１、ＵＣ２）と、第２の水平面（ＰＨ２）に交差する少なくとも２つの下部クランプ部（ＬＣ１、ＬＣ２）とを備え、前記クランプ部（ＵＣ１、ＵＣ２、ＬＣ１、ＬＣ２）のそれぞれが前記クランプ穴（３８）の異なる領域を表し、前記第１の水平面（ＰＨ１）および前記第２の水平面（ＰＨ２）が、前記中心軸（Ａ１）に垂直であって互いに離間し、
前記少なくとも２つの上部クランプ部（ＵＣ１、ＵＣ２）に対して接線であり、前記中心軸（Ａ１）と同一平面上にある上部仮想線（ＬＵ１、ＬＵ２）が、前記中心軸（Ａ１）と共にゼロまたは鋭角の第１のクランプ角（αｌ）を形成し、前記少なくとも２つの下部クランプ部（ＬＣ１、ＬＣ２）に対して接線であり、前記中心軸（Ａ１）と同一平面上にある下部仮想線（ＬＬ１、ＬＬ２）が、前記中心軸（Ａ１）と共にゼロまたは鋭角の第２のクランプ角（α２）を形成し、
前記第１のクランプ角（α１）と前記第２のクランプ角（α２）とが異なり、
４つの作動クランプ部（ＵＣ１、ＵＣ２、ＬＣ１、ＬＣ２）を表すちょうど２つの上部クランプ部（ＵＣ１、ＵＣ２）とちょうど２つの下部クランプ部（ＬＣ１、ＬＣ２）とは、前記締結部材（２８）上の同数の対応するクランプゾーン（ＵＺ１、ＵＺ２、ＬＺ１、ＬＺ２）に同時にクランプ接触することを特徴とする切削工具（２０、１２０）。
【請求項２】
前記第１の水平面（ＰＨ１）は前記少なくとも２つの上部クランプ部（ＵＣ１、ＵＣ２）を二分し、前記第２の水平面（ＰＨ２）は前記少なくとも２つの下部クランプ部（ＬＣ１、ＬＣ２）二分し、
前記第１の水平面（ＰＨ１）は前記第２の水平面（ＰＨ２）よりも前記上面（３２）に近く、前記第１のクランプ角（α１）は前記第２のクランプ角（α２）よりも大きいことを特徴とする請求項１に記載の切削工具（２０、１２０）。
【請求項３】
前記４個の作動可能クランプ部（ＵＣ１、ＵＣ２、ＬＣ１、ＬＣ２）に関連する前記上部および下部仮想線（ＬＵ１、ＬＵ２、ＬＬ１、ＬＬ２）は、前記中心軸（Ａ１）に交差せずに前記上面（３２）より上の方向に延びることを特徴とする請求項１に記載の切削工具（２０、１２０）。
【請求項４】
前記４個の作動可能クランプ部のうちの２個（ＵＣ１、ＬＣ１）に関連する上部および下部仮想線（ＬＵ１、ＬＬ１）は第１の垂直面（ＰＶ１）内に含まれ、前記４個の作動可能クランプ部のうちの他の２個（ＵＣ２、ＬＣ２）に関連する上部および下部仮想線（ＬＵ２、ＬＬ２）は第２の垂直面（ＰＶ２）内に含まれ、
前記第１の垂直面（ＰＶ１）は前記第２の垂直面（ＰＶ２）に垂直であり、
前記第１の垂直面（ＰＶ１）および前記第２の垂直面（ＰＶ２）は前記中心軸（Ａ１）を含むことを特徴とする請求項１に記載の切削工具（２０、１２０）。
【請求項５】
前記少なくとも１つのフランク面（４０）のそれぞれは、少なくとも１つの当接部（６２）を備え、
単一フランク面（４０）に関連する前記少なくとも１つの当接部（６２）のみが動作可能であり、前記工具本体（２２）上の対応する支持面（６４）に当接し、
前記中心軸（Ａ１）を含む第３の垂直面（ＰＶ３）は前記第１の垂直面（ＰＶ１）および前記第２の垂直面（ＰＶ２）を二分し、
前記単一作動可能フランク面（４０）に関連する前記少なくとも１つの当接部（６２）に対して接線である当接面（ＰＡ１）は前記第３の垂直面（ＰＶ３）に垂直であることを特徴とする請求項４に記載の切削工具（２０、１２０）。
【請求項６】
前記クランプ穴（３８）は前記底面（３４）に向かって延びて前記底面（３４）で開き、前記第１の水平面（ＰＨ１）および前記第２の水平面（ＰＨ２）に沿った横断面において非円形であり、
前記締結部材（２８）は、ねじ軸（Ａ２）を有するクランプねじ（４４）の形状であることを特徴とする請求項１に記載の切削工具（２０、１２０）。
【請求項７】
外周側面（３６）および中心軸（Ａ１）が間に延びる対向する上面（３２）および底面（３４）と、前記上面（３２）のクランプ穴（３８）とを備えた切削インサート（２６、１２６）であって、
前記外周側面（３６）が少なくとも１つのフランク面（４０）を備え、少なくとも１つの切刃（４２）が、前記少なくとも１つのフランク面（４０）と少なくとも前記上面（３２）との交差部に形成され、
前記クランプ穴（３８）が、第１の水平面（ＰＨ１）に交差する少なくとも２つの上部クランプ部（ＵＣ１、ＵＣ２）と、第２の水平面（ＰＨ２）に交差する少なくとも２つの下部クランプ部（ＬＣ１、ＬＣ２）とを備え、前記クランプ部（ＵＣ１、ＵＣ２、ＬＣ１、ＬＣ２）のそれぞれが前記クランプ穴（３８）の異なる領域を表し、前記第１の水平面（ＰＨ１）および前記第２の水平面（ＰＨ２）が、前記中心軸（Ａ１）に垂直であって互いに離間し、
前記少なくとも２つの上部クランプ部（ＵＣ１、ＵＣ２）に対して接線であり、前記中心軸（Ａ１）と同一平面上にある上部仮想線（ＬＵ１、ＬＵ２）が、前記中心軸（Ａ１）と共にゼロまたは鋭角の第１のクランプ角（α１）を形成し、前記少なくとも２つの下部クランプ部（ＬＣ１、ＬＣ２）に対して接線であり、前記中心軸（Ａ１）と同一平面上にある下部仮想線（ＬＬ１、ＬＬ２）が、前記中心軸（Ａ１）と共にゼロまたは鋭角の第２のクランプ角（α２）を形成し、
前記第１のクランプ角（α１）と前記第２のクランプ角（α２）とが異なり、
前記クランプ穴（３８）が、前記底面（３４）に向かって延びて前記底面（３４）で開き、前記第１の水平面（ＰＨ１）および前記第２の水平面（ＰＨ２）に沿った横断面において非円形であり、
前記上部および下部仮想線（ＬＵ１、ＬＵ２、ＬＬ１、ＬＬ２）が、前記中心軸（Ａ１）に交差せずに前記上面（３２）より上の方向に延びることを特徴とする切削インサート（２６、１２６）。
【請求項８】
前記第１の水平面（ＰＨ１）は前記少なくとも２つの上部クランプ部（ＵＣ１、ＵＣ２）を二分し、前記第２の水平面（ＰＨ２）は前記少なくとも２つの下部クランプ部（ＬＣ１、ＬＣ２）を二分し、
前記第１の水平面（ＰＨ１）は前記第２の水平面（ＰＨ２）よりも前記上面（３２）に近く、前記第１のクランプ角（α１）は前記第２のクランプ角（α２）よりも大きいことを特徴とする請求項７に記載の切削インサート（２６、１２６）。
【請求項９】
前記切削インサート（２６、１２６）は、前記中心軸（Ａ１）の周りで割出し可能であり、４個のフランク面（４０）と、前記４個のフランク面（４０）と前記上面（３２）との交差部に形成された４個の切刃（４２）と、４個の上部クランプ部（ＵＣ１、ＵＣ２、ＵＣ３、ＵＣ４）と、４個の下部クランプ部（ＬＣ１、ＬＣ２、ＬＣ３、ＬＣ４）とを有することを特徴とする請求項７に記載の切削インサート（２６、１２６）。
【請求項１０】
前記４個の上部および下部クランプ部のうちの第１のクランプ部および第３のクランプ部（ＵＣ１、ＬＣ１、ＵＣ３、ＬＣ３）に関連する第１の上部および下部仮想線（ＬＵ１、ＬＬ１）と第３の上部および下部仮想線（ＬＵ３、ＬＬ３）とは、第１の垂直面（ＰＶ１）内に含まれ、前記４個の上部および下部クランプ部のうちの第２のクランプ部および第４のクランプ部（ＵＣ２、ＬＣ２、ＵＣ４、ＬＣ４）に関連する第２の上部および下部仮想線（ＬＵ２、ＬＬ２）と第４の上部および下部仮想線（ＬＵ４、ＬＬ４）とは、第２の垂直面（ＰＶ２）内に含まれ、
前記第１の垂直面（ＰＶ１）は前記第２の垂直面（ＰＶ２）に垂直であり、
前記第１の垂直面（ＰＶ１）および第２の垂直面（ＰＶ２）は前記中心軸（Ａ１）を含むことを特徴とする請求項９に記載の切削インサート（２６、１２６）。
【請求項１１】
前記４個のフランク面（４０）のそれぞれは少なくとも１つの当接部（６２）を備え、
第１のフランク面（４０ａ）および第３のフランク面（４０ｃ）上のそれぞれの前記少なくとも１つの当接部（６２）の１つに対して接線である第１の当接面（ＰＡ１）および第３の当接面（ＰＡ３）は第３の垂直面（ＰＶ３）に垂直であり、第２のフランク面（４０ｂ）および第４のフランク面（４０ｄ）上のそれぞれの前記少なくとも１つの当接部（６２）の１つに対して接線である第２の当接面（ＰＡ２）および第４の当接面（ＰＡ４）は第４の垂直面（ＰＶ４）に垂直であり、
前記第３の垂直面（ＰＶ３）は前記第１の垂直面（ＰＶ１）および前記第２の垂直面（ＰＶ２）を二分し、前記第４の垂直面（ＰＶ４）は前記第３の垂直面（ＰＶ３）に垂直であることを特徴とする請求項１０に記載の切削インサート（２６、１２６）。
【請求項１２】
前記クランプ穴（３８）は前記中心軸（Ａ１）に垂直な正中面（Ｍ）に対して鏡面対称を呈し、
少なくとも１つの切刃（４２）は前記少なくとも１つのフランク面（４０）と前記底面（３４）との交差部に形成されることを特徴とする請求項７に記載の切削インサート（１２６）。
【請求項１３】
前記第１の水平面（ＰＨ１）および前記第２の水平面（ＰＨ２）は前記上面（３２）と前記正中面（Ｍ）との間に位置することを特徴とする請求項１２に記載の切削インサート（１２６）。
【請求項１４】
外周側面（３６）および中心軸（Ａ１）が間に延びる対向する上面（３２）および底面（３４）と、前記底面（３４）まで延びる前記上面（３２）のクランプ穴（３８）とを備えた切削インサート（２６、１２６）であって、
前記外周側面（３６）が少なくとも１つのフランク面（４０）を備え、少なくとも１つの切刃（４２）が、前記少なくとも１つのフランク面（４０）と少なくとも前記上面（３２）との交差部に形成され、
前記クランプ穴（３８）が、第１の水平面（ＰＨ１）に交差する少なくとも２つの上部クランプ部（ＵＣ１、ＵＣ２）と、第２の水平面（ＰＨ２）に交差する少なくとも２つの下部クランプ部（ＬＣ１、ＬＣ２）とを備え、前記クランプ部（ＵＣ１、ＵＣ２、ＬＣ１、ＬＣ２）のそれぞれが前記クランプ穴（３８）の異なる領域を表し、前記第１の水平面（ＰＨ１）および前記第２の水平面（ＰＨ２）が、前記中心軸（Ａ１）に垂直であって互いに離間し、
前記クランプ穴（３８）が前記底面（３４）に向かって開き、前記第１の水平面（ＰＨ１）および前記第２の水平面（ＰＨ２）に沿った横断面において非円形であり、
前記少なくとも２つの上部クランプ部（ＵＣ１、ＵＣ２）および前記少なくとも２つの下部クランプ部（ＬＣ１、ＬＣ２）が、前記中心軸（Ａ１）を含む、前記少なくとも１つのフランク面（４０）に垂直な垂直面（ＰＶ３）に対して対称であり、
前記少なくとも２つの上部クランプ部（ＵＣ１、ＵＣ２）および前記少なくとも２つの下部クランプ部（ＬＣ１、ＬＣ２）が、前記インサート中心軸（Ａ１）に沿った前記インサートの上面視において前記クランプ穴（３８）内に見えることを特徴とする切削インサート（２６、１２６）。
【請求項１５】
前記少なくとも２つの上部クランプ部（ＵＣ１、ＵＣ２）のそれぞれと、前記少なくとも２つの下部クランプ部（ＬＣ１、ＬＣ２）のそれぞれとは、前記第１の水平面（ＰＨ１）および前記第２の水平面（ＰＨ２）のそれぞれに沿った横断面において別個の上部曲線（５８）および下部曲線（６０）の単一の弧として現れることを特徴とする請求項１４に記載の切削インサート（２６、１２６）。
【請求項１６】
前記上部曲線（５８）および前記下部曲線（６０）はそれぞれ、前記中心軸（Ａ１）を中心に曲率半径（Ｒｌ、Ｒ２）を有することを特徴とする請求項１５に記載の切削インサート（２６、１２６）。
【請求項１７】
前記上部曲線（５８）および前記下部曲線（６０）のそれぞれの前記曲率半径（Ｒ１、Ｒ２）は、前記第１の水平面（ＰＨ１）および前記第２の水平面（ＰＨ２）のそれぞれに沿った前記クランプ穴（３８）の横断面における内接円の対応する曲率半径（Ｒ３、Ｒ４）よりも大きいことを特徴とする請求項１６に記載の切削インサート（２６、１２６）。
【請求項１８】
前記少なくとも２つの上部クランプ部（ＵＣ１、ＵＣ２）に対して接線であり、前記中心軸（Ａ１）と同一平面上にある上部仮想線（ＬＵ１、ＬＵ２）は、前記中心軸（Ａ１）と共に鋭角の第１のクランプ角（αｌ）を形成し、前記少なくとも２つの下部クランプ部（ＬＣ１、ＬＣ２）に対して接線であり、前記中心軸（Ａ１）と同一平面上にある下部仮想線（ＬＬ１、ＬＬ２）は、前記中心軸（Ａ１）と共に鋭角の第２のクランプ角（α２）を形成し、
前記第１のクランプ角（α１）と第２のクランプ角（α２）とは異なり、
前記上部および下部仮想線（ＬＵ１、ＬＵ２、ＬＬ１、ＬＬ２）が、前記中心軸（Ａ１）に交差せずに前記上面（３２）より上の方向に延びることを特徴とする請求項１４に記載の切削インサート（２６、１２６）。
【請求項１９】
前記切削インサート（２６、１２６）は、前記中心軸（Ａ１）の周りで割出し可能であり、４個のフランク面（４０）と、前記４個のフランク面（４０）と前記上面（３２）との交差部に形成された４個の切刃（４２）と、４個の上部クランプ部（ＵＣ１、ＵＣ２、ＵＣ３、ＵＣ４）と、４個の下部クランプ部（ＬＣ１、ＬＣ２、ＬＣ３、ＬＣ４）とを有し、
前記４個の上部および下部クランプ部（ＵＣ１、ＬＣ１、ＵＣ３、ＬＣ３）のうちの第１番目と第３番目に関連する、第１および第３上部および下部仮想線（ＬＵ１、ＬＬ１、ＬＵ３、ＬＬ３）は、第１の垂直面（ＰＶ１）内に含まれ、前記４個の上部および下部クランプ部のうちの第２番目と第４番目（ＵＣ２、ＬＣ２、ＵＣ４、ＬＣ４）に関連する、第２および第４上部および下部仮想線（ＬＵ２、ＬＬ２、ＬＵ４、ＬＬ４）は第２の垂直面（ＰＶ２）内に含まれ、
前記第１の垂直面（ＰＶ１）は前記第２の垂直面（ＰＶ２）に垂直であり、
前記第１および第２の垂直面（ＰＶ１、ＰＶ２）は、前記中心軸（Ａ１）を含み、
前記４個のフランク面（４０）のそれぞれは少なくとも１つの当接部（６２）を備え、
第１および第３のフランク面（４０ａ、４０ｃ）の前記少なくとも１つの当接部（６２）の１つに対して接線である、第１および第３の当接面（ＰＡ１、ＰＡ３）は、第３の垂直面（ＰＶ３）に垂直であり、第２および第４のフランク面（４０ｂ、４０ｄ）上のそれぞれの前記少なくとも１つの当接部（６２）の１つに対して接線である第２および第４の当接面（ＰＡ２、ＰＡ４）は、第４の垂直面（ＰＶ４）に垂直であり、
前記第３の垂直面（ＰＶ３）は、前記第１および前記第２の垂直面（ＰＶ１、ＰＶ２）を二分し、前記第４の垂直面（ＰＶ４）は、前記第３の垂直面（ＰＶ３）に垂直であることを特徴とする請求項１８に記載の切削インサート（２６、１２６）。
【請求項２０】
前記少なくとも２つの上部クランプ部（ＵＣ１、ＵＣ２）は、前記第１の水平面（ＰＨ１）において、周方向に互いに離間しており、
前記少なくとも２つの下部クランプ部（ＬＣ１、ＬＣ２）は、前記第２の水平面（ＰＨ２）において、周方向に互いに離間している
ことを特徴とする請求項１４に記載の切削インサート（２６、１２６）。